(57)【要約】    【課題】  手首に巻き付けるリストバンドを使った簡単な構造で障害者マラソンの伴走者や迷子防止用として供することのできる連結リストバンドおよびその使用方法を提供することを目的とする。【解決手段】  管理に必要なデータが表示可能な表示部２と、セット穴５が形成されたバンド止め部３と、バンド穴６が形成されたバンド部４と、表示部の少なくとも一側端部の、少なくともバンド止め部側またはバンド部側に側端部より外側に突出して設けられるとともに係止穴８が形成された係合突出部７と、を備えたリストバンド本体１０と、このリストバンド本体とは別個に設けられた、帯状を呈するとともに長手方向に複数の係止穴１２が形成された連結ベルト１１であり、係合突出部７の係止穴８と、連結ベルト１１の係止穴１２とを係止することによりリストバンド本体１０間を連結する。【選択図】        図１
2009242959.tif 000002
【特許請求の範囲】
【請求項１】
中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側に突出して設けられるとともに係止穴が形成された係合突出部と、を備えたリストバンド本体と、前記リストバンド本体とは別個に設けられ、帯状を呈するとともに長手方向に複数の係止穴が形成された連結ベルトとを備えたことを特徴とする連結リストバンドであって、前記係合突出部の係止穴と、連結ベルトの係止穴とを係止することによりリストバンド本体間を連結することを特徴とする連結リストバンド。
【請求項２】
中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側、かつ、表示部に対し鈍角方向に帯状に突出して設けられるとともに長手方向に複数の係止穴が形成された係合突出部と、を備えてリストバンド本体を形成して成る連結リストバンドであって、前記係合突出部の係止穴同士を係止することによりリストバンド本体間を連結することを特徴とする連結リストバンド。
【請求項３】
中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側に突出して設けられるとともに係止穴が形成された係合突出部と、を備えたリストバンド本体と、前記リストバンド本体とは別個に設けられた、帯状を呈するとともに長手方向に複数の係止穴が形成された連結ベルトとを備えた連結リストバンドの使用方法であって、環状となるよう前記リストバンド本体のバンド止め部にバンド部を重ねるとともに、重ねたセット穴およびバンド穴の適宜位置を選択して第１および第２の人間の手首に各々巻き付けて係止具にて止め、さらに、第１および第２の人間に巻き付けられた前記リストバンド本体の前記係合突出部の係止穴と前記連結ベルトの係止穴とを重ねて係止具にて止めることを特徴とする連結リストバンドの使用方法。
【請求項４】
前記連結ベルトは、適宜な長さに重ねるとともに、適宜な係止穴を選択して係止具にて止めることを特徴とする請求項３記載の連結リストバンドの使用方法。
【発明の詳細な説明】
【技術分野】
【０００１】
本発明は、特に、障害者のマラソンの伴走時や迷子防止用に用いて好適な連結リストバンドおよび連結リストバンドの使用方法に関する。
【背景技術】
【０００２】
人と人とが所望の距離を隔てた上で、連結した状態を維持したいという要望がある。
例えば、近年、マラソン熱が高まり障害者ランナーが参加可能な大会も増えており、必要に応じて伴走者が付き添って一緒に走るが、所望の距離を確保した位置関係を維持しながら連結された状態で走る。すなわち、障害者ランナーが走る状態を図４にて説明すると、障害者ランナー５０と伴走者５１は、手をつなぐとか、あるいは、５０ｃｍ以内の伴走ロープ５２と称する紐等を持つなどして一緒に走り、伴走者５１は、声を掛けて走路の指示（誘導）などをしている。
しかしながら、伴走ロープ５２を持って走ることは、障害者ランナー５０だけでなく、伴走者５１にも負担になるため、伴走ロープ５２等を持たなくとも、障害者ランナー５０と伴奏者５１が連結された状態を維持しながら走りたいという要望が高まった。
【０００３】
また、人と人とが余り離れない位置で連結した状態を維持したいという要望は前記障害者が参加するマラソンだけでなく、「迷子防止」にもある。すなわち、幼児を連れての外出時、人込みなどで迷子にならないようしっかりと手をつないで行動することがあるが、保護者の手が塞がってしまい行動に不便をきたすという問題があった。
上記の迷子を防止するため、保護者と幼児とを結合ベルトで連結した「子供保護ベルト」が開発されている（例えば、特許文献１参照）。
前記「子供保護ベルト」によれば、保護者のウエストに胴ベルト、および肩掛ベルトを設け、かつ、子供にも肩掛ベルトを設けるとともに、保護者と子供との間を結合ベルトでつなぐようになっている。
しかしながら、前記特許文献１は、子供を胸に抱きかかえたとき「帯」の代わりに使用できるよう保護者および子供の双方に肩掛けベルト、並びに、保護者と子供をつなぐ（連結する）結合ベルトが設けられており、抱きかかえることも考慮しているため、「帯」代わり部品である肩掛ベルトが必要であり各部品の点数が多く、かつ、結合ベルトも、「帯」として使用することができるよう所望の長さを必要としていたため、嵩張るという問題があった。
また、上記の「子供保護ベルト」を障害者ランナーおよび伴走者に用いた場合、部品点数が多い上、「帯」の代わりとする結合ベルトが所望の長さあり、伴走ロープ５２として好ましいとされる５０ｃｍ以上になる虞があり、さらに、肩掛ベルトなどを身体の一部に付けるため「締め付け感」があってマラソンに用いるには不向きであるという問題があった。しかも、障害者マラソンにおいては、混雑している箇所では、危険を回避するためロープを二重にして短くするなど距離を調整する必要があるが、前記「子供保護ベルト」では距離の調整ができないという問題があった。
【０００４】
【特許文献１】実開昭６１−１９４３６１号公報
【発明の開示】
【発明が解決しようとする課題】
【０００５】
本発明は、上記の問題点に着目して成されたものであり、手首に巻き付けるリストバンドを使った簡単な構造で障害者マラソンの伴走者や迷子防止用として供することのできる連結リストバンドおよびその使用方法を提供することを目的とする。
【課題を解決するための手段】
【０００６】
上記の目的を達成するため、第１の発明に係る連結リストバンドは、中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側に突出して設けられるとともに係止穴が形成された係合突出部と、を備えたリストバンド本体と、前記リストバンド本体とは別個に設けられ、帯状を呈するとともに長手方向に複数の係止穴が形成された連結ベルトとを備えたことを特徴とする連結リストバンドであって、前記係合突出部の係止穴と、連結ベルトの係止穴とを係止することによりリストバンド本体間を連結することを特徴とする。
また、第２の発明に係る連結リストバンドは、中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側、かつ、表示部に対し鈍角方向に帯状に突出して設けられるとともに長手方向に複数の係止穴が形成された係合突出部と、を備えてリストバンド本体を形成して成る連結リストバンドであって、前記係合突出部の係止穴同士を係止することによりリストバンド本体間を連結することを特徴とする。
また、第３の発明に係る連結リストバンドの使用方法は、中央部位に設けた、少なくとも管理に必要なデータが表示可能な表示部と、この表示部の一端部に連続して延伸されるとともに、セット穴が形成されたバンド止め部と、前記表示部の他端部に連続して延伸されるとともに、バンド穴が形成されたバンド部と、前記表示部の少なくとも一側端部の、少なくとも前記バンド止め部側またはバンド部側に側端部より外側に突出して設けられるとともに係止穴が形成された係合突出部と、を備えたリストバンド本体と、前記リストバンド本体とは別個に設けられた、帯状を呈するとともに長手方向に複数の係止穴が形成された連結ベルトとを備えた連結リストバンドの使用方法であって、環状となるよう前記リストバンド本体のバンド止め部にバンド部を重ねるとともに、重ねたセット穴およびバンド穴の適宜位置を選択して第１および第２の人間の手首に各々巻き付けて係止具にて止め、さらに、第１および第２の人間に巻き付けられた前記リストバンド本体の前記係合突出部の係止穴と前記連結ベルトの係止穴とを重ねて係止具にて止めることを特徴とする。
また、連結ベルトは、適宜な長さに重ねるとともに、適宜な係止穴を選択して係止具にて止めるようにできる。
【発明の効果】
【０００７】
第１の発明に係る連結リストバンドは、管理に必要なデータが表示可能な表示部と、セット穴が形成されたバンド止め部と、バンド穴が形成されたバンド部と、表示部の側端部より外側に突出して設けられるとともに係止穴が形成された係合突出部と、を備えたリストバンド本体と、このリストバンド本体とは別個に設けられ複数の係止穴が形成された連結ベルトとを備え、係合突出部の係止穴と、連結ベルトとの係止穴を係止することによりリストバンド本体間を連結するようにしたので、リストバンド本体を装着した者同士が所望の距離を保って連結されるという効果がある。
第２の発明に係る連結リストバンドは、管理に必要なデータが表示可能な表示部と、セット穴が形成されたバンド止め部と、バンド穴が形成されたバンド部と、表示部の側端部より、表示部に対し鈍角方向に帯状に突出して設けられるとともに複数の係止穴が形成された係合突出部と、を備えたリストバンド本体を用い、係合突出部の係止穴同士を係止することによりリストバンド本体間を連結するようにしたので、リストバンド本体を装着した者同士が所望の距離を保って連結されるという効果がある。
第３の発明に係る連結リストバンドの使用方法は、第１および第２の人間の手首に各々リストバンド本体を巻き付けて係止具にて止め、さらに、第１および第２の人間に巻き付けられたリストバンド本体の係合突出部の係止穴と連結ベルトの係止穴とを重ねて係止具にて止めるようにしたので、第１および第２の人間は、連結ベルトを介して手首に巻いたリストバンド本体にて連結されており、手が空いているため必要に応じて手をつなぐこともできるという効果がある。
また、連結ベルトを、適宜な長さに重ねるとともに、適宜な係止穴を選択して係止具にて止めるようにすれば、長さ調整ができるため、第１およびの第２の人間の間を所望の距離に保つことができる。
【発明を実施するための最良の形態】
【０００８】
以下、本発明の第一の実施の形態の連結リストバンドを図１および図２に基づき説明する。
なお、以下において、先の「背景技術」と同様の部分は同一符号を付すに止め、詳説は省略する。
【０００９】
図１は、連結リストバンド１を例示した図であり、連結リストバンド１は、リストバンド本体１０と、このリストバンド本体１０とは別個に設けた連結ベルト１１とを備える。
【００１０】
リストバンド本体１０は、管理に必要な各種情報を表示するための幅広に形成された表示部２を設けており、かつ、表示部２の一方にはバンド止め部３、他方にはバンド部４が形成され、長手方向に延伸された構成となっている。
バンド止め部３は、バンド部４よりも短く形成されており、その先端部近傍にセット穴５が形成され、一方、バンド部４は、バンド止め部３と同じ幅で形成されており、幅方向の中央部にバンド穴６、６、…が一定の間隔をもって形成してある。
前記バンド止め部３とバンド部４の間である、長手方向の中央部位に設けた表示部２には、バンド止め部３側の端部、または、バンド部４側の端部において、側端部より外側に突出して舌片状の係止突出部７が設けられており、この係止突出部７には、係止穴８が形成してある。
上記のリストバンド本体１０は、例えば、マラソン大会等で使用されるもので、手首に巻き付けてランナーの管理、識別に用いられる。このため、リストバンド本体１０の表示部２には、「選手Ｎｏ」９ａ（図示の例では、「１２３４」）、選手名９ｂ（同、「佐藤  花子」）、およびこれらの情報がコード化された二次元コード９ｃ等の大会の参加者情報９が印字されている。
また、リストバンド本体１０とは別個に設けられた連結ベルト１１は、帯状を呈するとともに、長手方向に複数の係合穴１２が形成されている。
なお、１３は、「留め具」としてのクリップであり、クリップ１３を説明すると、円形状のオスクリップ１４とメスクリップ１５とで構成されており、互いに連結部１６を介して一体成形されている。オスクリップ１４には、中央部に突起部１７が垂直に立設され、また、メスクリップ１５には、中央部に嵌合穴１８が形成されており、オスクリップ１４とメスクリップ１５とを連結する連結部１６は屈曲自在に形成されており、折り曲げた状態で前記オスクリップ１４の突起部１７と前記メスクリップ１５の嵌合穴１８が嵌合するようになっている。そして、前記突起部１７と嵌合穴１８が一旦嵌合すると、強い力を加えて引き離そうとしない限りオスクリップ１４とメスクリップ１５との嵌合が容易に解けない（外れない）ようになっている。
【００１１】
次に、主に、図１および図２に基づき、連結リストバンド１の使用方法につき説明する。
第１の人間としての参加選手（ランナー）は、リストバンド本体１０を装着する際、バンド止め部３のセット穴５にオスクリップ１４の突起部１７をバンド止め部３の裏面より挿入し、リストバンド本体１０の表示部２が表から見える状態で手首（図示省略）に巻き付け、手首の太さに合せてバンド穴６を選択し、オスクリップ１４の突起部１７に挿入する。その後、連結部１６を屈曲させてメスクリップ１５に形成された嵌合穴１８を突起部１７に嵌め込むと、参加選手の手首（図示省略）にリストバンド本体１０が装着され、オスクリップ１４とメスクリップ１５とを引き離す方向に強い力を加えない限り「留め具」としてのクリップ１３の嵌合は容易に外れないようになっている。
前記「第１の人間」としての参加選手が「第２の人間」としての伴走者５１を必要とする障害者ランナー５０の場合、伴走者５１は伴走者用のリストバンド本体１０ａを同様に手首に装着する。図示を省略するが、伴走者用のリストバンド本体１０ａには、伴走者Ｎｏや伴走者名、およびこれらの情報がコード化された二次元コード等の情報が印字されている。
そして、参加選手としての障害者ランナー５０と伴走者５１の間を連結ベルト１１でつなぐものである。すなわち、各々のリストバンド本体１０、１０ａの係合突出部７の係止穴８にオスクリップ１４の突起部１７を挿入し、さらに、突起部１７に連結ベルト１１の係止穴１２を係合した上で突起部１７とメスクリップ１５の嵌合穴１８とを嵌合するものであり、障害者ランナー５０と伴走者５１の間は、伴走ロープ５２に代えて連結ベルト１１にて連結される。なお、連結ベルト１１の長さは、伴走ロープ５２の標準である５０ｃｍ程度が望ましく、連結ベルト１１の長手方向の両端部の係止穴１２を選択すれば、多くの大会で標準とされる距離が保たれるものである。
い。
【００１２】
さらに、必要に応じて連結ベルト１１の長さを調節することができる。
図２は、図１中、矢示ＩＩ方向より見た一部破断の概略側断面図である。
同図に示すように、選択した係止穴１２が重なるようにして連結ベルト１１をほぼ所望の長さになるよう折り重ね、係止穴１２にオスクリップ１４の突起部１７を挿入しメスクリップ１５の嵌合穴１８と嵌合することにより連結ベルト１１の長さ調節を図るものであり、混雑しているなど危ないと思う場所では短くし、また、危険が減少したと思う場所では、オスクリップ１４とメスクリップ１５を引き離す方向に力を入れてクリップ１３を外せば元の長さに戻るものである。
【００１３】
上述したように、障害者ランナー５０と伴走者５１は、連結ベルト１０を介して手首（図示省略）に巻いたリストバンド本体１０、１０ａにて連結されており、手が空いているため必要に応じて手をつなぐこともできる。
また、連結ベルト１１を折り重ね所望の係止穴１２を選択して重ねられた係止穴１２にクリップ１３の突起部１７を挿入し止めることにより長さ調整ができるため、障害者ランナー５０と伴走者５１の間を所望の距離に調整することができる。
障害者ランナー５０と伴走者５１の間を連結ベルト１０の最大限の長さに維持した場合でも、また、折り重ねて短く調整した場合でも、従来のように伴走ロープ５２を持つ必要が無いので、「物を掴んだまま走る」ことによる煩わしさや疲労が軽減される。
【００１４】
次に、主に、図３に基づき、他の実施の形態につき説明する。
なお、以下において、先の実施の形態と同様の部分は同一符号を付すに止め、詳説は省略する。
連結リストバンド２１は、表示部２２と、表示部２２の一方に形成されたバンド止め部３と、他方に形成されたバンド部４とにより長手方向に延伸されて「リストバンド本体２０」が構成された状態となっている。
表示部２２には、バンド止め部３側の端部、または、バンド部４側の端部に、側端部より外側の方向に突出して帯状の係止突出部２３が設けられている。
前記係止突出部２３は、表示部２２の側端部に対し鈍角方向に延伸しており、長手方向に複数の係止穴２４が形成されている。
上記のリストバンド本体２０は、例えば、図示省略の親（保護者）と子供（被保護者）に装着して「迷子防止用」に使用するものであり、子供用のリストバンド本体２０の表示部２２には、サインペンなどを用いて子供の名前２５ａ（図示の例では「佐藤  花子、サトウ  ハナコ」と携帯電話番号（同、「０８０−ＸＸＸＸ−１２３４」）などの個人情報２５が手書きしてある。また、図示を省略するが、親用のリストバンド本体２０ａには、外出時の子供の服装などの特徴をメモ代わりに手書きできるようになっている。
外出時、あるいは、混雑時などにおいて、子供用のリストバンド本体２０を図示省略の子供の手首に巻き付けクリップ１３にて止めて装着するとともに、親用のリストバンド本体２０ａを図示省略の親の手首に巻き付けて、同様にクリップ１３にて止めて装着する。さらに、係合突出部２３を重ねて適宜の係止穴２４を選択してクリップ１３で止め、親と子供と間を所望の距離に保った上で、連結できるようになっており、手が空いているので、子供と手をつなぐこともできる。
また、係合突出部２３の連結前に子供が走り去った場合、子供の名前２５ａや携帯電話番号２５ｂが表示部２２に手書きで示されているため、子供を見つけた人から親の携帯電話への通知が容易となる。
また、リストバンド本体２０は折り畳めるため、外出時に畳んでバッグなどに収納可能で嵩張らないものである。
その他の構成、作用、効果は、先の実施の形態とほぼ同様につき、詳説を省略する。
【００１５】
なお、上記実施の形態の構成及び動作は例であって、本発明の趣旨を逸脱しない範囲で適宜変更することができることは言うまでもない。また、上記構成部材の数、位置、形状等は上記実施の形態に限定されず、本発明を実施する上で好適な数、位置、形状等にすることができる。
【図面の簡単な説明】
【００１６】
【図１】本発明の一実施の形態による連結リストバンドの概略平面図である。
【図２】同、図１中、矢示ＩＩ方向から見た連結ベルトが折り重なった状態を示す一部破断の概略側断面図である。
【図３】同、他の実施の形態を示す図１相当の概略平面図である。
【図４】伴走ロープを使った従来の障害者マラソンの説明図である。
【符号の説明】
【００１７】
１    連結リストバンド（第１の実施の形態）
２    表示部
３    バンド止め部
４    バンド部
５    セット穴
６    バンド穴
７    係合突出部
８    係止穴
９    参加者情報
９ａ  選手Ｎｏ
９ｂ  選手名
９ｃ  二次元コード
１０  リストバンド本体
１１  連結ベルト
１２  係止穴
１３  留め具（クリップ）
１４  オスクリップ
１５  メスクリップ
１６  連結部
１７  突起部
１８  嵌合穴
２０  リストバンド本体
２１  連結リストバンド（第２の実施の形態）
２２  表示部
２３  係合突出部
２４  係止穴
２５  個人情報
２５ａ  氏名
２５ｂ  携帯電話番号
５０  障害者ランナー
５１  伴走者
５２  伴走ロープ
【図１】
2009242959.tif 000003
【図２】
2009242959.tif 000004
【図３】
2009242959.tif 000005
【図４】
2009242959.tif 000006